(57)【要約】【課題】小型化が実現できる筐体のバッテリーホルダーを実現する。【解決手段】筐体の一方の面の一部を構成し一端側を回転中心として他端側に設けられたラチェトを操作して前記回転中心を中心として回転して前記筐体より取り外されるベースプレートと、このベースプレートの前記筐体内面側に設けられリードコネクタタイプのコイン型バッテリーが取り付けられるホルダー本体と、前記ホルダー本体に設けられ前記コイン型バッテリーのリード取り出し部分に設けられた絶縁被覆部を利用して前記コイン型バッテリーを前記ベースプレートに所定角度をなして固定するバッテリー保持爪と、前記ベースプレートの前記筐体内面側と前記コイン型バッテリーの絶縁被覆部との間の空間に設けられ前記コイン型バッテリーのコネクタが取り付けられるコネクタソケットを保持するコネクタホルダーとを具備したことを特徴とする筐体のバッテリーホルダーである。【選択図】図１
2008084744.tif 000002
【特許請求の範囲】
【請求項１】
筐体に取り付けられる筐体のバッテリーホルダーにおいて、
筐体の一方の面の一部を構成し一端側を回転中心として他端側に設けられたラッチを操作して前記回転中心を中心として回転して前記筐体より取り外されるベースプレートと、
このベースプレートの前記筐体内面側に設けられリードコネクタタイプのコイン型バッテリーが取り付けられるホルダー本体と、
前記ホルダー本体に設けられ前記コイン型バッテリーのリード取り出し部分に設けられた絶縁被覆部を利用して前記コイン型バッテリーを前記ベースプレートに所定角度をなして固定するバッテリー保持爪と、
前記ベースプレートの前記筐体内面側と前記コイン型バッテリーの絶縁被覆部との間の空間に設けられ前記コイン型バッテリーのコネクタが取り付けられるコネクタソケットを保持するコネクタホルダーと
を具備したことを特徴とする筐体のバッテリーホルダー。
【請求項２】
前記コネクタホルダに設けられ前記コネクタと前記コネクタソケットとを係止する係止手段
を具備したことを特徴とする請求項１記載の筐体のバッテリーホルダー。
【請求項３】
前記係止手段は前記コネクタホルダに設けられ前記コネクタと前記コネクタソケットを係止するラチェトが使用されたこと
を特徴とする請求項２記載の筐体のバッテリーホルダー。
【請求項４】
前記コネクタホルダーに設けられ前記コイン型バッテリーのリードと前記コネクタソケットのリードとを収束する収束手段
を具備したことを特徴とする請求項１乃至請求項３記載の筐体のバッテリーホルダー。
【請求項５】
前記収束手段はリードフックが使用されたこと
を特徴とする請求項４記載の筐体のバッテリーホルダー。
【請求項６】
前記ベースプレートの回転中心は前記ホルダー本体近くに設けられたこと
を特徴とする請求項１乃至請求項５記載の筐体のバッテリーホルダー。
【請求項７】
前記コイン型バッテリーのコネクタは前記コネクタホルダーをはさんで前記ホルダー本体と反対側より前記コネクタソケットに取り付けられ、前記コネクタソケットは前記ホルダー本体側より前記コネクタホルダーに固定されたこと
を特徴とする請求項１乃至請求項６記載の筐体のバッテリーホルダー。
【発明の詳細な説明】
【技術分野】
【０００１】
本発明は、小型化が実現できる筐体のバッテリーホルダーに関するものである。
【背景技術】
【０００２】
筐体のバッテリーホルダーに関連する先行技術文献としては次のようなものがある。
【０００３】
【非特許文献１】ＭＥＭＯＲＹ  ＰＲＯＴＥＣＴＩＯＮ  ＤＥＶＩＣＥＳ，ＩＮＣ．発行、製品カタログ  ＮＯ．７０２  Ｐ５、２００２年８月発行。
【０００４】
図７は従来より一般に使用されている従来例の斜視説明図である。
図において、１は円柱状のバッテリー２が取り付けられるバッテリーホルダ−，３はバッテリーホルダ−に設けられた電極である。
４は電極３に連通するリードピンである。
このようなバッテリーは、通常、リードピン４がプリント基板に半田付けされて取り付けられる。
【発明の開示】
【発明が解決しようとする課題】
【０００５】
このような装置においては、以下の間題点がある。
図７従来例では、バッテリーホルダーにカバー等がない場合は、液漏れや地絡事故の危険性がある。
こうした構造のバッテリーホルダーは、電極の接地を確実に確保しなければならない為、接地圧等が厳格に設計された専用のバッテリーホルダーを用いる必要があり、専用部品カタログの形状に制限されて設計の自由度が少ない。
【０００６】
本発明の目的は、上記の課題を解決するもので、取扱いや交換時の着脱がより容易で、液漏れや地絡事故のリスクが軽減できて、小型化が実現できる筐体のバッテリーホルダーを提供することにある。
【課題を解決するための手段】
【０００７】
このような課題を達成するために、本発明では、請求項１の筐体のバッテリーホルダーにおいては、
筐体に取り付けられる筐体のバッテリーホルダーにおいて、筐体の一方の面の一部を構成し一端側を回転中心として他端側に設けられたラッチを操作して前記回転中心を中心として回転して前記筐体より取り外されるベースプレートと、このベースプレートの前記筐体内面側に設けられリードコネクタタイプのコイン型バッテリーが取り付けられるホルダー本体と、前記ホルダー本体に設けられ前記コイン型バッテリーのリード取り出し部分に設けられた絶縁被覆部を利用して前記コイン型バッテリーを前記ベースプレートに所定角度をなして固定するバッテリー保持爪と、前記ベースプレートの前記筐体内面側と前記コイン型バッテリーの絶縁被覆部との間の空間に設けられ前記コイン型バッテリーのコネクタが取り付けられるコネクタソケットを保持するコネクタホルダーとを具備したことを特徴とする。
【０００８】
本発明の請求項２の筐体のバッテリーホルダーにおいては、請求項１記載の筐体のバッテリーホルダーにおいて、
前記コネクタホルダに設けられ前記コネクタと前記コネクタソケットとを係止する係止手段を具備したことを特徴とする。
【０００９】
本発明の請求項３の筐体のバッテリーホルダーにおいては、請求項２記載の筐体のバッテリーホルダーにおいて、
前記係止手段は前記コネクタホルダに設けられ前記コネクタと前記コネクタソケットを係止するラチェトが使用されたことを特徴とする請求項２記載の筐体のバッテリーホルダー。
【００１０】
本発明の請求項４の筐体のバッテリーホルダーにおいては、請求項１乃至請求項３の何れかに記載の筐体のバッテリーホルダーにおいて、
前記コネクタホルダーに設けられ前記コイン型バッテリーのリードと前記コネクタソケットのリードとを収束する収束手段を具備したことを特徴とする。
【００１１】
本発明の請求項５の筐体のバッテリーホルダーにおいては、請求項４記載の筐体のバッテリーホルダーにおいて、
前記収束手段はリードフックが使用されたことを特徴とする。
【００１２】
本発明の請求項６の筐体のバッテリーホルダーにおいては、請求項１乃至請求項５の何れかに記載の筐体のバッテリーホルダーにおいて、
前記ベースプレートの回転中心は前記ホルダー本体近くに設けられたことを特徴とする。
【００１３】
本発明の請求項７の筐体のバッテリーホルダーにおいては、請求項１乃至請求項６の何れかに記載の筐体のバッテリーホルダーにおいて、
前記コイン型バッテリーのコネクタは前記コネクタホルダーをはさんで前記ホルダー本体と反対側より前記コネクタソケットに取り付けられ、前記コネクタソケットは前記ホルダー本体側より前記コネクタホルダーに固定されたことを特徴とする。
【発明の効果】
【００１４】
本発明の請求項１によれば、次のような効果がある。
リードコネクタタイプのコイン型バッテリーの形状を利用して、バッテリー保持爪の配置を工夫し、回転防止を行うと共に、バッテリーの位置決めをして、ベースプレートとコイン型バッテリーとの空間に、コネクタホルダーの設置場所をコンパクトに確保できるようにしたので、小型化を実現できる筐体のバッテリーホルダーが得られる。
【００１５】
リードコネクタタイプのコイン型バッテリーを利用したので、コネクタにより電極の接地を確実に確保できるため、液漏れの危険性を防止でき、専用部品を使用する必要がなく、バッテリーホルダーの形状が制限されることがなく、設計の自由度が確保できる筐体のバッテリーホルダーが得られる。
【００１６】
本発明の請求項２によれば、次のような効果がある。
コネクタホルダに設けられ、コネクタソケットを係止する係止手段が設けられたので、コネクタソケットが容易に外れることがない筐体のバッテリーホルダーが得られる。
【００１７】
本発明の請求項３によれば、次のような効果がある。
係止手段はコネクタホルダに設けられコネクタソケットを係止するラチェトが使用されたので、係止の着脱が容易な筐体のバッテリーホルダーが得られる。
【００１８】
本発明の請求項４によれば、次のような効果がある。
コネクタホルダーに設けられ、コイン型バッテリーのリードと、コネクタソケットのリードとを収束する収束手段が設けられたので、リードの配置が整理でき、筺体内において地絡事故を防止できる筐体のバッテリーホルダーが得られる。
【００１９】
本発明の請求項５によれば、次のような効果がある。
収束手段はリードフックが使用されたので、リードの収束が容易にできる筐体のバッテリーホルダーが得られる。
【００２０】
本発明の請求項６によれば、次のような効果がある。
ベースプレートの回転中心は、ホルダー本体近くに設けられたので、ホルダー本体による所要面積を少なくでき、より小型化ができる筐体のバッテリーホルダーが得られる。
【００２１】
本発明の請求項７によれば、次のような効果がある。
コイン型バッテリーのコネクタは、コネクタホルダーをはさんで前記ホルダー本体と反対側よりコネクタソケットに取り付けられ、コネクタソケットはホルダー本体側よりコネクタホルダーに固定されたので、コネクタとコネクタソケットが偶発的に外れる恐れが少なくなる筐体のバッテリーホルダーが得られる。
【発明を実施するための最良の形態】
【００２２】
以下本発明を図面を用いて詳細に説明する。
図１は本発明の一実施例の要部構成説明図で、リードコネクタタイプのコイン型バッテリーが取り付けられている状態を示す。図２は図１の要部平面構成説明図、図３，図４，図５，図６は図１の動作説明図である。
【００２３】
図において、ベースプレート１１は、筐体Ａの一方の面の一部を構成し、一端側１１１を回転中心として、他端側１１２に設けられたラッチ１２を操作して、回転中心を中心として回転して筐体Ａより取り外される。
【００２４】
ホルダー本体１３は、ベースプレート１１の筐体Ａ内面側に設けられ、リードコネクタタイプのコイン型バッテリーＢが取り付けられる。
バッテリー保持爪１４は、ホルダー本体１３に設けられ、コイン型バッテリーＢのリード取り出し部分に設けられた絶縁被覆部Ｂ１を利用して、コイン型バッテリーＢをベースプレート１１に所定角度αをなして固定する。
【００２５】
コネクタホルダー１５は、ベースプレート１１の筐体内面側とコイン型バッテリーの絶縁被覆部Ｂ１との間の空間に設けられ、コイン型バッテリーＢのコネクタＢ２が取り付けられるコネクタソケットＢ３を保持する。
係止手段１６は、コネクタホルダ１５に設けられ、コネクタソケットＢ３を係止する。
【００２６】
この場合は、係止手段１６はコネクタホルダ１５に設けられ、コネクタＢ２とコネクタソケットＢ３を係止するラチェト１６１，１６２が使用されている。なお、ラチェト１６１は図１に示され、ラチェト１６２は図２に示されている。
【００２７】
収束手段１７は、コネクタホルダー１５に設けられ、コイン型バッテリーＢのリードとコネクタソケットＢ３のリードとを収束する。
この場合は、収束手段１７はコの字状のリードフックが使用されている。
この場合は、ベースプレート１１の回転中心は、ホルダー本体１３近くに設けられている。
【００２８】
コイン型バッテリーのコネクタＢ２は、コネクタホルダー１５にホルダー本体１３をはさんだ反対側より、コネクタソケットＢ３に取り付けられ、コネクタソケットＢ３はホルダー本体１３側よりコネクタホルダー１５に固定されている。
【００２９】
以上の構成において、本装置は、コネクタホルダー１５の下側に回転中心を持ち、円を描きながら筐体Ａへ収まり、ラッチ１２によって固定される。
ここにおいて、ホルダー本体１３とコネクタホルダー１５との関係から、ベースプレート１１におけるホルダー本体１３とコネクタホルダー１５との位置が決まって来る。
【００３０】
図４の矢印Ｆに示す如く、仮に、ベースプレート１１の末端に回転中心を配置すると、回転半径Ｒ３が大きくなり、バッテリーホルダが筺体Ａの開口部に収まらなくなってしまう。
そこで、回転中心をベースプレート１１のホルダー本体１３近くの側へと移し、回転部位を２箇所Ｒ１とＲ２とに分けることで回転半径Ｒ１，Ｒ２を小さくまとめ、バッテリーホルダをコンパクトに筺体Ａへ収めることができるようになった。
【００３１】
回転中心をベースプレート１１のホルダー本体１３近くの側へ移す際、回転半径Ｒ１とＲ２とは、バッテリーホルダーが筺体Ａに収まる程度と、先に筺体Ａ内に収まる部分が、筺体Ａ内の電子部品Ｃ等に干渉しないこととを考慮し、比率を調整する。
【００３２】
コネクタソケットＢ３をコネクタホルダ１５に取り付けるには、図６に示す如く、コネクタソケットＢ３をＤ方向へ差込み、コネクタソケットＢ３が突き当たってからＥ方向へ回転させることで、コネクタソケットＢ３をラチェット１６２にロックする。
【００３３】
この結果、
リードコネクタタイプのコイン型バッテリーＢの形状を利用して、バッテリー保持爪１４の配置を工夫し、回転防止を行うと共に、バッテリーの位置決めをして、ベースプレート１１とコイン型バッテリーＢとの空間に、コネクタホルダー１５の設置場所をコンパクトに確保できるようにしたので、小型化を実現できる筐体Ａのバッテリーホルダーが得られる。
【００３４】
リードコネクタタイプのコイン型バッテリーＢを利用したので、コネクタにより電極の接地を確実に確保できるため、液漏れの危険性を防止でき、専用部品を使用する必要がなく、バッテリーホルダーの形状が制限されることがなく、設計の自由度が確保できる筐体のバッテリーホルダーが得られる。
【００３５】
コネクタホルダ１５に設けられ、コネクタソケットＢ３を係止する係止手段１６が設けられたので、コネクタソケットＢ３が容易に外れることがない筐体のバッテリーホルダーが得られる。
【００３６】
係止手段１６はコネクタホルダ１５に設けられコネクタソケットＢ３を係止するラチェト１６１，１６２が使用されたので、係止の着脱が容易な筐体のバッテリーホルダーが得られる。
【００３７】
コネクタホルダー１５に設けられ、コイン型バッテリーＢのリードと、コネクタソケットＢ３のリードとを収束する収束手段１７が設けられたので、リードの配置が整理でき、筺体内において地絡事故を防止できる筐体のバッテリーホルダーが得られる。
【００３８】
収束手段１７はリードフックが使用されたので、リードの収束が容易にできる筐体のバッテリーホルダーが得られる。
【００３９】
ベースプレート１１の回転中心は、ホルダー本体１３近くに設けられたので、ホルダー本体１３による所要面積を少なくでき、より小型化ができる筐体のバッテリーホルダーが得られる。
【００４０】
コイン型バッテリーのコネクタは、コネクタホルダーをはさんでホルダー本体と反対側よりコネクタソケットに取り付けられ、コネクタソケットはホルダー本体側よりコネクタホルダーに固定されたので、コネクタとコネクタソケットが偶発的に外れる恐れが少なくなる筐体のバッテリーホルダーが得られる。
【００４１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４２】
【図１】本発明の一実施例の要部構成説明図である。
【図２】図１の要部平面構成説明図である。
【図３】図１の動作説明図である。
【図４】図１の動作説明図である。
【図５】図１の動作説明図である。
【図６】図１の動作説明図である。
【図７】従来より一般に使用されている従来例の構成説明図である。
【符号の説明】
【００４３】
１      バッテリーホルダ−
２      バッテリー
３      電極
４      リードピン
１１    ベースプレート
１１１  一端側
１１２  他端側
１２    ラッチ
１３    ホルダー本体
１４    バッテリー保持爪
１５    コネクタホルダー
１６    係止手段
１６１  ラチェト
１６２  ラチェト
１７    収束手段
１７    リードフック
Ａ      筐体
Ｂ      リードコネクタタイプのコイン型バッテリー
Ｂ１    絶縁被覆部
Ｂ２    コイン型バッテリーＢのコネクタ
Ｂ３    コネクタソケット
Ｃ      筺体Ａ内の電子部品
α      所定角度
【図１】
2008084744.tif 000003
【図２】
2008084744.tif 000004
【図３】
2008084744.tif 000005
【図４】
2008084744.tif 000006
【図５】
2008084744.tif 000007
【図６】
2008084744.tif 000008
【図７】
2008084744.tif 000009